(57)【要約】【課題】キャンペーン応募のための消費者の操作を簡易かつ確実に行うことができるキャンペーン応募システムを提供すること。【解決手段】キャンペーンセンター３００は、メール制御部を起動して自身のメールアドレスを宛先にしたメールを生成し、撮像部を起動して所定の被写体を撮像し、生成したメールに当該撮像した画像を添付し、当該メールを自身に送信させるアプリケーションソフトが格納されている格納部と、携帯端末１００の通信処理部によりアクセスされた際に、格納部からアプリケーションソフトを読み出し、読み出したアプリケーションソフトを携帯端末１００へ送信する送信部とを備える。【選択図】図２
2010204861.tif 000002
【特許請求の範囲】
【請求項１】
キャンペーンの対象商品又は商品の宣伝用の印刷物に印刷されている２次元コードを読み取り、読み取った２次元コードを解析して所定のＵＲＬを取得する２次元コード処理部と、前記所定のＵＲＬにアクセスして所定の処理を実行する通信処理部と、メール機能の制御を行うメール制御部と、被写体を撮像する撮像部と、を備える携帯端末と、キャンペーンセンターとによりキャンペーンの応募を行うキャンペーン応募システムにおいて、
前記キャンペーンセンターは、
前記メール制御部を起動して自身のメールアドレスを宛先にしたメールを生成し、前記撮像部を起動して所定の被写体を撮像し、前記生成したメールに当該撮像した画像を添付し、当該メールを自身に送信させるアプリケーションソフトが格納されている格納部と、
前記携帯端末の前記通信処理部によりアクセスされた際に、前記格納部から前記アプリケーションソフトを読み出し、読み出した前記アプリケーションソフトを前記携帯端末へ送信する送信部とを備えることを特徴とするキャンペーン応募システム。
【請求項２】
前記携帯端末は、前記通信処理部により前記所定のＵＲＬにアクセスして前記アプリケーションソフトを受信し、前記アプリケーションソフトを起動したときに、前記メール制御部を起動して前記キャンペーンセンターのメールアドレスを宛先にしたメールを生成し、前記撮像部を起動して所定の被写体である領収書を撮像し、前記生成したメールに当該撮像した画像を添付し、当該メールを前記キャンペーンセンターへ送信し、
前記キャンペーンセンターは、前記携帯端末から送信されてきた前記メールに添付されている画像をシリアルデータに変換して記憶し、当該シリアルデータをすでに記憶されている他のシリアルデータと照合し、照合結果から一致するシリアルデータがない場合には、送信されてきたシリアルデータを有効なものと判断して、抽選を行い、抽選の結果、当選した場合には、応募フォームのＵＲＬを前記携帯端末に送信し、
前記携帯端末は、前記応募フォームのＵＲＬにアクセスして応募フォームに所定の情報を入力して前記キャンペーンセンターへ送信することを特徴とする請求項１に記載のキャンペーン応募システム。
【請求項３】
前記シリアルデータは、前記領収書に記載されている店舗コード、店舗電話番号、領収書の発行年月日時分、品名コード、金額、レジ番号のうちの１以上の組み合わせて得られた前記領収書にユニークな情報を含むことを特徴とする請求項２に記載のキャンペーン応募システム。
【請求項４】
前記シリアルデータは、前記携帯端末から送信されてきたメールに添付されている領収書の画像を光学式文字読取装置で文字情報に変換し、その後スクリーニング及びフォーマット変換により所定の項目を所定の順序に並び替え、並び替えた情報を演算することにより作成することを特徴とする請求項２又は３に記載のキャンペーン応募システム。
【発明の詳細な説明】
【技術分野】
【０００１】
本発明は、消費者がキャンペーン期間中にキャンペーン商品を購入した際、簡単な機能で同一領収書による重複応募を検出することで安全なキャンペーンを実施可能なキャンペーン応募システムに関する。
【背景技術】
【０００２】
従来、キャンペーン商品購入に際しての応募方法は、商品に付加されたラベルを切り取って応募する方法がとられてきた。この方法は、確実な方法であるが、ラベルを郵送するための手間がかかり時間もかかる。また、ラベルが添付されて郵送された膨大な数の郵便物の保管場所も大きくなり問題となる。
【０００３】
ここで、特許文献１では、領収書を用いて電子的にキャンペーンに応募する方法が開示されている。具体的には、領収書を発行するＰＯＳシステムに、対象商品の購入に応じて消費者が応募に用いるユニークキーを領収書に印字したキャンペーン用領収書を発行し、当該ユニークキーをキャンペーン応募資格の判定に用いる方法が開示されている。
【０００４】
また、特許文献２では、領収書をカメラに撮ってメールでサーバに送り、この撮像された画像をテキストデータに変換し、変換後のテキストデータに基づいて、家計簿の管理を行う方法が開示されている。
【特許文献１】特開２００３−６５００号公報
【特許文献２】特開２００３−１２２９１６号公報
【発明の開示】
【発明が解決しようとする課題】
【０００５】
しかし、特許文献１に記載の技術では、キャンペーン用の領収書を新たに作成するもので、ＰＯＳシステムの変更を伴っており、発行された領収書やＰＯＳシステムを変更せずにそのまま利用するのと異なっており、変更のための経費がかかってしまう。
【０００６】
また、特許文献２に記載の技術では、カメラで撮像した画像に係る領収書情報は、単に家計簿データの管理に用いるものであって、領収書情報についての正当性のチェックを判断し、キャンペーンへの応募に利用されるものではない。
【０００７】
本発明は、キャンペーンへの応募に関して簡単で確実な領収書の正当性の確認手段を用いる手段を提供することにあり、物理的にキャンペーン製品に添付されたラベルでキャンペーンに応募する代わりに、電子的にかつ確実に正当性のチェックを行うことで省スペース化とともに省力化もあわせて実行可能なキャンペーン応募システムを提供することにある。
【課題を解決するための手段】
【０００８】
本発明に係るキャンペーン応募システムは、上記課題を解決するために、キャンペーンの対象商品又は商品の宣伝用の印刷物に印刷されている２次元コードを読み取り、読み取った２次元コードを解析して所定のＵＲＬを取得する２次元コード処理部と、前記所定のＵＲＬにアクセスして所定の処理を実行する通信処理部と、メール機能の制御を行うメール制御部と、被写体を撮像する撮像部と、を備える携帯端末と、キャンペーンセンターとによりキャンペーンの応募を行うキャンペーン応募システムにおいて、前記キャンペーンセンターは、前記メール制御部を起動して自身のメールアドレスを宛先にしたメールを生成し、前記撮像部を起動して所定の被写体（領収書）を撮像し、前記生成したメールに当該撮像した画像を添付し、当該メールを自身に送信させるアプリケーションソフトが格納されている格納部と、前記携帯端末の前記通信処理部によりアクセスされた際に、前記格納部から前記アプリケーションソフトを読み出し、読み出した前記アプリケーションソフトを前記携帯端末へ送信する送信部とを備えることを特徴とする。
【０００９】
上記キャンペーン応募システムでは、前記携帯端末は、前記通信処理部により前記所定のＵＲＬにアクセスして前記アプリケーションソフトを受信し、前記アプリケーションソフトを起動したときに、前記メール制御部を起動して前記キャンペーンセンターのメールアドレスを宛先にしたメールを生成し、前記撮像部を起動して所定の被写体である領収書を撮像し、前記生成したメールに当該撮像した画像を添付し、当該メールを前記キャンペーンセンターへ送信し、前記キャンペーンセンターは、前記携帯端末から送信されてきた前記メールに添付されている画像をシリアルデータに変換して記憶し、当該シリアルデータをすでに記憶されている他のシリアルデータと照合し、照合結果から一致するシリアルデータがない場合には、送信されてきたシリアルデータを有効なものと判断して、抽選を行い、抽選の結果、当選した場合には、応募フォームのＵＲＬを前記携帯端末に送信し、前記携帯端末は、前記応募フォームのＵＲＬにアクセスして応募フォームに所定の情報を入力して前記キャンペーンセンターへ送信することが好ましい。
【００１０】
なお、携帯端末からキャンペーンセンターに送信するメールにユーザのＩＤを付加して送信してもよい。また、抽選の合否は、領収書に固有の情報の一部やユーザのＩＤの一部と規定値との一致検出結果を用いてもよい。
【００１１】
上記キャンペーン応募システムでは、前記シリアルデータは、前記領収書に記載されている店舗コード、店舗電話番号、領収書の発行年月日時分、品名コード、金額、レジ番号のうちの１以上の組み合わせて得られた前記領収書にユニークな情報を含むことが好ましい。
【００１２】
上記キャンペーン応募システムでは、前記シリアルデータは、前記携帯端末から送信されてきたメールに添付されている領収書の画像を光学式文字読取装置で文字情報に変換し、その後スクリーニング及びフォーマット変換により所定の項目を所定の順序に並び替え、並び替えた情報を演算することにより作成することが好ましい。
【発明の効果】
【００１３】
（１）本発明は、携帯端末を携行するユーザがキャンペーン対象商品を購入した際、キャンペーン対象商品又は商品の宣伝用の印刷物（チラシ）に印刷された２次元コードを携帯端末の２次元コード処理部が読み取ることで、キャンペーンセンターのメールアドレスの収集、キャンペーンセンターのメールアドレスの収集、メール起動、カメラ起動、カメラ映像取り込み、メールへの添付、メール送信という一連の機能の起動を順次行う携帯端末用のアプリケーションソフトを自動的にダウンロードするので、キャンペーン応募のためのユーザの操作を簡易にし、確実にキャンペーンの応募を行うことができる。
【００１４】
（２）本発明は、携帯端末が２次元コードを読み取ってダウンロードしたアプリケーションソフトにより電子メール機能を起動後、購入時に受け取る領収書の映像情報を、撮像部を用いて携帯端末に取り込み、取り込んだ映像情報を電子メールに添付してキャンペーンセンター宛に送信し、キャンペーンセンターは領収書の映像情報をシリアルデータに変換して記憶し、消費者から送られてきたすでに記憶しているシリアルデータと照合し、一致するシリアルデータがない場合、今回送信された映像情報に基づいて作成したシリアルデータが新規の領収書に基づく有効なものと判断して、抽選を行い、当選の場合、シリアルデータを付加した応募フォームのＵＲＬを携帯端末に返信し、携帯端末は、受信したＵＲＬにアクセスして起動された応募フォームに情報を記載し、その後キャンペーンセンターに送信するので、同一の領収書を用いて複数回キャンペーンに応募することを回避でき、安全なシステムを実現できる。
【００１５】
（３）本発明は、シリアルデータ情報として、領収書に記載されている店舗コード、店舗電話番号、領収書発行年月日時分、品名コード、金額、レジ番号のうちの１以上の組み合わせて得られた領収書にユニークな情報を含むので、キャンペーンの応募のための領収書の有効性の判断を簡易に行うことができる。
【００１６】
（４）本発明は、ユニークなシリアル番号として、携帯端末からの領収書の映像情報を光学式文字読取装置（ＯＣＲ）で文字情報に変換した後、スクリーニング及びフォーマット変換により所定の項目を所定の順序に並び替え、並び替えた情報を演算するので、信頼性の高い確実なシステムが実現できる。
【発明を実施するための最良の形態】
【００１７】
図１にシステム構成例を示す。本システムは、携帯端末１００、キャンペーンセンター３００、及び携帯端末１００とキャンペーンセンター３００とを接続するネットワーク２００から構成される。また、携帯端末１００は、キャンペーンの対象商品又は商品の宣伝用の印刷物に印刷されている２次元コードを読み取り、読み取った２次元コードを解析して所定のＵＲＬを取得する２次元コード処理部と、前記所定のＵＲＬにアクセスして所定の処理を実行する通信処理部と、メール機能の制御を行うメール制御部と、被写体を撮像する撮像部とを備える。また、以下では、２次元コードの一例として、ＱＲコード（登録商標）を想定して説明する。
【００１８】
携帯端末１００は、ユーザの操作に応じて、ＱＲコードが印刷されたキャンペーン用のチラシ４００のＱＲコードを２次元コード処理部により読み取った後、ユーザがキャンペーン商品購入時に店舗から受け取る領収書５００の映像情報を撮像部により撮像し、当該映像情報をメールに添付してメール制御部によりキャンペーンセンター３００に送信する。キャンペーンセンター３００は、送信された映像情報をシリアルデータに変換して蓄積するとともに、すでに蓄積しているシリアルデータと比較して、今回送信された映像情報に基づくシリアルデータがすでに蓄積しているシリアルデータと異なる新規の情報と判定すれば、送信された映像情報を有効と判断して、抽選を行い、当選の場合には、携帯端末１００に応募フォームのＵＲＬを送信する。携帯端末１００は、受信したＵＲＬにアクセスして表示された応募フォームに必要な情報を入力し、応募フォームに入力された必要な情報をキャンペーンセンター３００に返信する。なお、本実施形態では、チラシ４００の代わりにＱＲコードが印刷されたポスターや、ＱＲコードが印刷された領収書等を用いてもよい。
【００１９】
図２にキャンペーンセンターの構成例を示す。
キャンペーンセンター３００は、バスＡに接続された信号送受信部３１０、蓄積部３２０、照合・判定部３３０、抽選部３４０、応募フォーム作成部３５０、シーケンス制御部３６０、スクリーニング部３７０、及びフォーマット部３８０を備えている。また、キャンペーンセンター３００は、携帯端末１００のメール制御部を起動して自身のメールアドレスを宛先にしたメールを生成し、撮像部を起動して所定の被写体を撮像し、生成したメールに当該撮像した画像を添付し、当該メールを自身に送信させるアプリケーションソフトが格納されている格納部と、携帯端末１００の通信処理部によりアクセスされた際に、格納部からアプリケーションソフトを読み出し、読み出したアプリケーションソフトを携帯端末１００へ送信する送信部とを備える。携帯端末１００は、当該アプリケーションソフトをダウンロードすることにより、キャンペーン応募のための操作を簡易にし、確実にキャンペーンの応募を行うことができる。
【００２０】
具体的には、ネットワーク２００を経由した携帯端末１００との情報の授受は、信号送受信部３１０を介して行う。信号送受信部３１０で受信した携帯端末１００からの領収書の映像情報を基に作成したシリアルデータは、蓄積部３２０に蓄積する。照合・判定部３３０は、すでに蓄積しているシリアルデータと新しく作成したシリアルデータとの情報を比較し、比較結果が不一致の場合、今回携帯端末１００から送信されてきた領収書情報を有効な情報と判断し、抽選部３４０により抽選を行う。当選の場合には、応募フォーム作成部３５０は、応募フォームを作成してＵＲＬをネットワーク２００を介して携帯端末１００に送信する。上記の一連のシーケンスの制御はシーケンス制御部３６０で行う。なお、抽選部３４０は、例えば、領収書５００に、後述する図４に示す領収書に固有のシリアルデータ５４０の一部、又はその一部の番号を演算して得られた番号を事前に設定しておき、設定していた番号と今回のシリアルデータとが一致すれば当選と判断する。
【００２１】
図３は、ＱＲコード４１０が印刷されたキャンペーンのチラシ４００の例を示す。キャンペーン商品を購入したユーザは、携帯端末１００を利用してＱＲコード４１０を読み取り、当該ＱＲコードに基づくＵＲＬにアクセスし、所定のサーバからアプリケーションソフトをダウンロードする（アプリケーションソフトは、当該ＱＲコードに基づくＵＲＬにアクセスすると、所定のサーバから自動的にダウンロードされるようになっていてもよい。）。そして、ダウンロードしたアプリケーションを実行させると、アプリケーションは、メール起動機能４２１、カメラ起動機能４２２、映像取込み機能４２３、メール添付機能４２４、メール送信機能４２５、キャンペーン提供元「ＡＢＣ電気」４２６、キャンペーン名「ノートＰＣキャンペーン」４２７、キャンペーン期間「２００７．１２．０１−２００７．１２．３１」４２８、及び、キャンペーンセンターＵＲＬ「ｃｏｎｔａｃｔａｂｃ＠ｑｐｌｍｎ」４２９を含む情報を表示する携帯画面例４２０を作成する（アプリケーションは、所定のサーバからダウンロードされると、自動的に実行されるようになっていてもよい。）。ユーザは、表示された機能に相当する画面の位置をクリックして各機能を実行する。
【００２２】
図４は、携帯端末から送信された領収書５００の映像情報の一例と、領収書５００に記載の項目と各データから構成されるテーブル５１０の一例と、領収書５００に固有のシリアルデータ５４０の一例とをそれぞれ示す。キャンペーンセンター３００は、携帯端末１００からの領収書５００の映像情報を、一旦、ＯＣＲ（光学式文字読取装置）により文字情報に変換したのち、スクリーニング部３７０で、キャンペーン商品を購入した店舗名称、店舗の電話番号（下４桁）、領収書を発行した時刻（月日時分）、キャンペーン品名コード、購入金額、店舗内のレジの番号等の項目を抽出した後、フォーマット部３８０によりシリアルデータに変換する。キャンペーンセンター３００は、領収書５００の映像情報をＯＣＲで読み取るかわりに、ユーザがシリアルデータを携帯端末から入力することができるように、領収書５００の映像情報をユーザに表示させてもよい。
【００２３】
図５〜図７に領収書５００にユニークなデータをユーザが入力してキャンペーンに応募する場合のフロー例を示す。
【００２４】
ユーザは、キャンペーン対象商品を含む商品を購入後（ステップＳ１０１）、店舗側からキャンペーン対象商品を含む領収書５００を取得し（ステップＳ１０２）、チラシ４００を取得する（ステップＳ１０３）。この後、携帯端末１００は、ユーザの操作に応じて、チラシ４００のＱＲコードを読み取り、対象商品のキャンペーンセンター３００のメールアドレスを取得する（ステップＳ１０４）。つぎに、携帯端末１００は、取得したキャンペーンセンター３００のメールアドレスをあて先にしてメールを起動した後（ステップＳ１０５）、撮像部の起動を行い（ステップＳ１０６）、領収書５００を撮像部により撮影し（ステップＳ１０７）、撮影した領収書５００の映像情報を添付してキャンペーンセンター３００宛に送信する（ステップＳ１０８）。
【００２５】
キャンペーンセンター３００は、携帯端末１００から送信された領収書５００の映像情報を読み取り、例えば、キャンペーン商品を購入した店舗名称、店舗の電話番号（下４桁）、領収書を発行した時刻（月日時分）、キャンペーン品名コード、購入金額、店舗内のレジの番号等の項目から構成される図４に示すようなシリアルデータ５４０を作成して蓄積する（ステップＳ１０９）。キャンペーンセンター３００は、携帯端末１００から送信された領収書５００の映像情報を読み取ることができないと判断した場合、ユーザに、シリアルデータ５４０を作成するに必要な情報の入力を求めるようにしてもよい。
【００２６】
また、キャンペーンセンター３００は、図６に示すように、シリアルデータを照合・判定部３３０により、すでに蓄積しているシリアルデータと同じものがあるか否かを判定する（ステップＳ１１２）。キャンペーンセンター３００は、判定の結果、同じシリアルデータの蓄積があれば、携帯端末１００にエラー通知を送信する（ステップＳ１１３）。携帯端末１００は、エラー通知を受信し終了する（ステップＳ１１４）。
【００２７】
また、ステップＳ１１２において、照合・判定部３３０の判定で、すでに記憶しているシリアルデータと同じものがない場合、キャンペーンセンター３００は、領収書５００の映像情報とシリアルデータとを照合し（ステップＳ１１５）、照合結果が不一致なら携帯端末１００にエラー通知を送信する（ステップＳ１１６）。携帯端末は、エラー通知を受信して終了する（ステップＳ１１７）。
【００２８】
また、ステップＳ１１５において、領収書映像とシリアルデータの照合が一致した場合、キャンペーンセンター３００は、携帯端末１００からの応募情報を有効と判断して抽選を行い（ステップＳ１１８）、当選か否かを判断し（ステップＳ１１９）、落選の場合は終了する（ステップＳ１２０）。なお、キャンペーンセンター３００は、落選の結果を携帯端末１００に通知してもよい。
【００２９】
ステップＳ１１９において当選の場合は、キャンペーンセンター３００は、例えば、図４に示すシリアルデータ５４０を含めた当選確定の応募フォームのＵＲＬを携帯端末１００に送信する（ステップＳ１２１）。携帯端末１００は、受信したＵＲＬに基づいて当選確定の応募フォームを閲覧し（ステップＳ１２２）、応募フォームに必要な情報（例えば、指定された氏名、当選した商品の届け先等）を入力してキャンペーンセンター３００に返信する（ステップＳ１２３）。
【００３０】
キャンペーンセンター３００は、応募フォームの記載内容を確認し（ステップＳ１２４）、当該確認が良好か否かを判断し（ステップＳ１２５）、確認が良好ならば携帯端末１００に完了通知のＵＲＬを送信する（ステップＳ１２７）。携帯端末１００は、完了通知のＵＲＬを閲覧して終了する（ステップＳ１２８）。ステップＳ１２５において確認の結果が良好でなければ、キャンペーンセンター３００は、携帯端末１００にエラー通知を送信する（ステップＳ１２６）。携帯端末１００は、エラー通信を受信し（ステップＳ１２９）、その後、応募フォームの内容を適宜修正又は新規に入力し直して、キャンペーンセンター３００に再度応募フォームを送信する。
【００３１】
つぎに、図８〜図１０に領収書５００にユニークなデータをＯＣＲ機能、スクリーニング機能、データ変換テーブルを用いてキャンペーンに応募する場合のフロー例を示す。
【００３２】
ユーザは、キャンペーン対象商品を含む商品を購入後（ステップＳ２０１）、店舗側からキャンペーン対象商品を含む領収書５００を取得し（ステップＳ２０２）、チラシ４００を取得する（ステップＳ２０３）。この後、携帯端末１００は、ユーザの操作に応じて、チラシ４００のＱＲコードを読み取り、対象商品のキャンペーンセンター３００のメールアドレスを取得する（ステップＳ２０４）。つぎに、携帯端末１００は、取得したキャンペーンセンター３００のメールアドレスをあて先にしてメールを起動した後（ステップＳ２０５）、撮像部の起動を行い（ステップＳ２０６）、領収書５００を撮像部により撮影し（ステップＳ２０７）、撮影した領収書５００の映像情報を添付してキャンペーンセンター３００宛に送信する（ステップＳ２０８）。
【００３３】
キャンペーンセンター３００は、携帯端末１００から送信された領収書の映像情報が添付されているメールを受信して、図４に示すようなシリアルデータ５４０を作成して蓄積する（ステップＳ２０９）。
【００３４】
キャンペーンセンター３００は、図９に示すように、ＯＣＲ（Ｏｐｔｉｃａｌ  Ｃｈａｒａｃｔｅｒ  Ｒｅａｄｅｒ）により各店舗に適合したフォーマットで自動読み取りを行う（ステップＳ２１１）。キャンペーンセンター３００は、読み取りが完了したか否かを判断し（ステップＳ２１２）、フォーマットの不一致等でＯＣＲでの読み取りが不可の場合には、ユーザに目視により読み取りさせ、ユーザに入力をさせる（ステップＳ２１３）。
【００３５】
キャンペーンセンター３００は、読み取り結果が良好の場合には、期日、商品名、金額が規定どおりか否かを判定し（ステップＳ２１４）、規定に合致した内容であれば、読み取り結果に基づいて図４に示すようなシリアルデータ５４０を作成して蓄積するとともに、今回のシリアルデータがすでに蓄積されているシリアルデータとが同じものがあるか否かを判定する（ステップＳ２１７）。
【００３６】
また、キャンペーンセンター３００は、ステップＳ２１４の判定において、規定どおりではないと判定した場合には、携帯端末１００にエラー通知を送信する（ステップＳ２１５）。携帯端末１００は、エラー通知を受信して終了する（ステップＳ２１６）。
【００３７】
また、キャンペーンセンター３００は、すでに蓄積されているシリアルデータの中に今回のシリアルデータと同じシリアルデータがある場合、携帯端末１００にエラー通知を送信する（ステップＳ２１８）。携帯端末１００は、エラー通知を受信して終了する（ステップＳ２１９）。
【００３８】
また、ステップＳ２１７において、すでに蓄積されているシリアルデータの中に今回のシリアルデータと同じシリアルデータがない場合、キャンペーンセンター３００は、携帯端末１００からの応募情報を有効と判断して抽選を行い（ステップＳ２２０）、当選か否かを判断し（ステップＳ２２１）、落選の場合は終了する（ステップＳ２２２）。なお、キャンペーンセンター３００は、落選の結果を携帯端末１００に通知してもよい。
【００３９】
また、キャンペーンセンター３００は、図１０に示すように、ステップＳ２２１において当選の場合は、例えば、図４に示すシリアルデータ５４０を含めた当選確定の応募フォームのＵＲＬを携帯端末１００に送信する（ステップＳ２２３）。携帯端末１００は、当選確定の応募フォームを閲覧し（ステップＳ２２４）、応募フォームに指定された氏名、当選した商品の届け先を入力してキャンペーンセンター３００に返信する（ステップＳ２２５）。
【００４０】
キャンペーンセンター３００は、応募フォームの記載内容を確認し（ステップＳ２２６）、当該確認が良好か否かを判断し（ステップＳ２２７）、確認が良好ならば携帯端末１００に完了通知のＵＲＬを送信する（ステップＳ２２９）。携帯端末１００は、完了通知のＵＲＬを閲覧して終了する（ステップＳ２３０）。また、ステップＳ２２７において確認の結果が良好でなければ、キャンペーンセンター３００は、携帯端末１００にエラー通知を送信する（ステップＳ２２８）。携帯端末１００は、エラー通信を受信し（ステップＳ２３１）、その後、応募フォームの内容を適宜修正又は新規に入力し直して、キャンペーンセンター３００に再度応募フォームを送信する。
【００４１】
つぎに、図１１に携帯端末１００の画面に表示されたキャンペーン当選確定の応募フォーム例を示す。応募フォーム６００は、キャンペーン商品名、当選通知、当選した商品の届け先、と氏名、シリアルデータを記載する。
【００４２】
また、図１２にキャンペーンセンター３００に蓄積する応募者の管理ＤＢの内容の模式図を示す。管理ＤＢの内容としては、例えば、応募年月日、シリアルデータ、応募者住所、応募者氏名が蓄積される。
【００４３】
このようにして、本発明では、キャンペーン応募のためのユーザの操作を簡易にし、確実にキャンペーンの応募を行うことができる。また、本発明では、同一の領収書５００を用いて複数回キャンペーンに応募することを回避でき、安全なシステムを実現できる。
【００４４】
また、本発明では、シリアルデータ情報として、領収書５００に記載されている店舗コード、店舗電話番号、領収書５００の発行年月日時分、品名コード、金額、レジ番号のうちの１以上の組み合わせて得られた領収書５００にユニークな情報を含むので、キャンペーンの応募のための領収書５００の有効性の判断を簡易に行うことができる。
【００４５】
また、本発明では、ユニークなシリアル番号として、携帯端末１００からの領収書５００の映像情報を光学式文字読取装置（ＯＣＲ）で文字情報に変換した後、スクリーニング及びフォーマット変換により所定の項目を所定の順序に並び替え、並び替えた情報を演算するので、信頼性の高い確実なシステムが実現できる。
【００４６】
なお、携帯端末１００からキャンペーンセンター３００に送信するメールにユーザのＩＤを付加して送信してもよい。また、抽選の合否は、領収書５００に固有の情報の一部やユーザのＩＤの一部と規定値との一致検出結果を用いてもよい。
【産業上の利用可能性】
【００４７】
本発明は、短期間に膨大な量が予想されるキャンペーンの応募に対して、省スペースで効率的かつ確実にかつ処理を行う手段を提供することが可能になる。
【図面の簡単な説明】
【００４８】
【図１】システム構成の一例を示す図である。
【図２】キャンペーンセンターの構成例を示す図である。
【図３】チラシとＱＲコード情報例を示す図である。
【図４】領収書と対応するユニークなシリアルコード生成例を示す図である。
【図５】キャンペーンの応募手順の第１の例を示すフローチャートである。
【図６】キャンペーンの応募手順の第１の例を示すフローチャートである。
【図７】キャンペーンの応募手順の第１の例を示すフローチャートである。
【図８】キャンペーンの応募手順の第２の例を示すフローチャートである。
【図９】キャンペーンの応募手順の第２の例を示すフローチャートである。
【図１０】キャンペーンの応募手順の第２の例を示すフローチャートである。
【図１１】キャンペーンの当選確定の応募フォームの携帯端末画面の一例を示す図である。
【図１２】キャンペーンの応募者の管理ＤＢの一例を示す図である。
【符号の説明】
【００４９】
１００  携帯端末
２００  ネットワーク
３００  キャンペーンセンター
３１０  信号送受信部
３２０  蓄積部
３３０  照合・判定部
３４０  抽選部
３５０  応募フォーム作成部
３６０  シーケンス制御部
３７０  スクリーニング部
３８０  フォーマット部
４００  キャンペーンチラシ
４１０  キャンペーンチラシに印刷されたＱＲコード
４２０  ＱＲコード読み取り後の携帯端末画面
５００  領収書
５１０  キャンペーン応募に必要な項目とデータ
５４０  シリアルコード
【図１】
2010204861.tif 000003
【図２】
2010204861.tif 000004
【図３】
2010204861.tif 000005
【図４】
2010204861.tif 000006
【図５】
2010204861.tif 000007
【図６】
2010204861.tif 000008
【図７】
2010204861.tif 000009
【図８】
2010204861.tif 000010
【図９】
2010204861.tif 000011
【図１０】
2010204861.tif 000012
【図１１】
2010204861.tif 000013
【図１２】
2010204861.tif 000014